(57)【要約】      （修正有）【課題】複数のシート本体を繰り返して連結・分離する。【解決手段】シート本体１が複数用意され、各シート本体１の係止部４をそれぞれの切り込み４ａ同士が嵌り合うように係止させることにより、複数のシート本体１がそれぞれの長手方向へ一列に連結され、また、この連結状態においてシート本体１の係止部４の切り込み４ａ同士を取外すことにより、複数のシート本体１が分離され、それぞれのシート本体１に形成された吊り下げ手段２を利用して、商品陳列用の棚の側面や壁などの設置面Ｗに対して個別に吊り下げ可能となる。【選択図】図２
2011143157.tif 000002
【特許請求の範囲】
【請求項１】
帯状に形成されるシート本体と、
前記シート本体の長手方向端部に形成される吊り下げ手段と、
前記シート本体の長手方向へ複数形成されるフック部と、
前記シート本体の長手方向端部に切り込みを入れることで形成される係止部を備え、
前記シート本体は、複数用意され、これら複数の前記シート本体の前記係止部を、それぞれの前記切り込み同士が嵌り合うように係止させることで、複数の前記シート本体がそれぞれの長手方向へ一列に連結されるように配置したことを特徴とする商品陳列用シート。
【請求項２】
前記係止部が、前記切り込みで囲まれる舌片を有し、連結しようとする２つの前記シート本体に対して前記舌片をそれぞれの先端縁が互いに逆向きとなるようにそれぞれ配置し、これら舌片の先端縁を前記切り込みにそれぞれ前記シート本体の長手方向へ挿入することで、該舌片同士が互いに重なり合うように係止させたことを特徴とする請求項１記載の商品陳列用シート。
【請求項３】
前記係止部を前記シート本体の長手方向と交差する幅方向へ複数形成したことを特徴とする請求項１又は２記載の商品陳列用シート。
【発明の詳細な説明】
【技術分野】
【０００１】
本発明は、例えば店舗などにおいて商品を陳列するための商品陳列用シートに関する。
詳しくは、例えば包装袋や包装箱に入れた商品又は吊り下げ用孔が開いた商品を吊り下げるためのフック部を有する商品陳列用シートに関する。
【背景技術】
【０００２】
従来、この種の商品陳列用シートとして、帯状シートの長手方向の略中央にミシン目が該シートの全幅にわたって形成され、この帯状シートは該ミシン目に沿って切断されて第１帯部材及び第２帯部材に分離できるようになっており、これら第１帯部材の端部中央及び第２帯部材のミシン目の近傍にそれぞれ円形の穴が開設され、各穴から所定距離を隔てて複数のフック部を前記帯状シートの長手方向に所定の間隔で形成してあり、これらフック部は、前記帯状シートに略Ｗ字形の切り込みを入れることによって、中央フック部と側部フック部とを形成しているものがある（例えば、特許文献１参照）。
そして、帯状シートはミシン目に沿って切断することで、複数の帯部材に分離し得るようになっているため、設置スペースに応じて各帯部材の長さを自在に適応させることができ、また複数の帯部材には少なくとも１つ穴が開設されるため、各帯部材に分離されても、分離された部材はそれに開設した穴を利用して商品陳列用の棚の側面又は壁などに容易に吊り下げ可能となる。
【先行技術文献】
【特許文献】
【０００３】
【特許文献１】特開平８−２１５００４号公報
【発明の概要】
【発明が解決しようとする課題】
【０００４】
しかし乍ら、このような従来の商品陳列用シートでは、帯状シートをミシン目に沿って切断することで複数の帯部材に分離されるため、一度分離された帯部材を元の連結状態に戻すことができず、設置するスペースや状況の変化に速やかに対応させることが困難であるという問題があった。
【０００５】
本発明は、このような問題に対処することを課題とするものであり、複数のシート本体を繰り返して連結・分離すること、簡単な構造で２つのシート本体を着脱自在に連結すること、簡単な構造で複数のシート本体を長手方向へ一直線状に連結すること、などを目的とするものである。
【課題を解決するための手段】
【０００６】
このような目的を達成するために本発明は、帯状に形成されるシート本体と、前記シート本体の長手方向端部に形成される吊り下げ手段と、前記シート本体の長手方向へ複数形成されるフック部と、前記シート本体の長手方向端部に切り込みを入れることで形成される係止部を備え、前記シート本体は、複数用意され、これら複数の前記シート本体の前記係止部を、それぞれの前記切り込み同士が嵌り合うように係止させることで、複数の前記シート本体がそれぞれの長手方向へ一列に連結されるように配置したことを特徴とする。
【０００７】
前述した特徴に加えて、前記係止部が、前記切り込みで囲まれる舌片を有し、連結しようとする２つの前記シート本体に対して前記舌片をそれぞれの先端縁が互いに逆向きとなるようにそれぞれ配置し、これら舌片の先端縁を前記切り込みにそれぞれ前記シート本体の長手方向へ挿入することで、該舌片同士が互いに重なり合うように係止させたことを特徴とする。
【０００８】
さらに前述した特徴に加えて、前記係止部を前記シート本体の長手方向と交差する幅方向へ複数形成したことを特徴とする。
【発明の効果】
【０００９】
前述した特徴を有する本発明は、シート本体が複数用意され、各シート本体の係止部をそれぞれの切り込み同士が嵌り合うように係止させることにより、複数のシート本体がそれぞれの長手方向へ一列に連結され、また、この連結状態においてシート本体の係止部の切り込み同士を取外すことにより、複数のシート本体が分離され、それぞれのシート本体に形成された吊り下げ手段を利用して、商品陳列用の棚の側面や壁などの設置面に対して個別に吊り下げ可能となるので、複数のシート本体を繰り返して連結・分離することができる。
その結果、帯状シートをミシン目に沿って切断することで複数の帯部材に分離される従来のものに比べ、設置するスペースや状況の変化に速やかに対応させることができて使用勝手に優れる。
【００１０】
さらに、前記係止部が、前記切り込みで囲まれる舌片を有し、連結しようとする２つの前記シート本体に対して前記舌片をそれぞれの先端縁が互いに逆向きとなるようにそれぞれ配置し、これら舌片の先端縁を前記切り込みにそれぞれ前記シート本体の長手方向へ挿入することで、該舌片同士が互いに重なり合うように係止させた場合には、舌片同士の係止により、それぞれの切り込みの端縁同士が互いに長手方向へ移動不能に係合して、２つのシート本体が一体的に連結され、また、この連結状態において２つのシート本体を係止方向と逆方向へ移動させることにより、これら舌片が切り込みからそれぞれ外れて２つのシート本体が分離されるので、簡単な構造で２つのシート本体を着脱自在に連結することができる。
その結果、簡単な作業で２つのシート本体を連結・分離でき、さらに製造コストの軽減化が図れる。
【００１１】
また、前記係止部を前記シート本体の長手方向と交差する幅方向へ複数形成した場合には、複数のシート本体に形成された複数の係止部を、それぞれの切り込み同士が嵌り合うように係止させることにより、これら連結された複数のシート本体が幅方向へ位置決めされるので、簡単な構造で複数のシート本体を長手方向へ一直線状に連結することができる。
その結果、複数のシート本体が曲がることなく連結されるため、外観に優れる。
【図面の簡単な説明】
【００１２】
【図１】本発明の実施形態に係る商品陳列用シートを示す説明図であり、（ａ）が分離状態で商品の吊り下げ前を示す斜視図、（ｂ）が分離状態で商品の吊り下げ後を示す斜視図である。
【図２】連結状態で商品の吊り下げ後を示す斜視図である。
【発明を実施するための形態】
【００１３】
以下、本発明の実施形態を図面に基づいて詳細に説明する。
本発明の実施形態に係る商品陳列用シートＡは、図１〜図２に示すように、帯状に形成されるシート本体１と、シート本体１の長手方向端部に形成される吊り下げ手段２と、シート本体１の長手方向へ複数形成されるフック部３と、シート本体１の長手方向端部に切り込み４ａを入れることで形成される係止部４を備えている。
【００１４】
シート本体１は、例えばポリプロピレン、ポリエチレン、ポリ塩化ビニルなどの弾力性が高い合成樹脂や可撓性を有する板紙などの材料で帯板状に形成され、その長手方向一端又は両端に吊り下げ手段２を形成し、長手方向の中間位置に複数のフック部３を形成し、さらに長手方向一端又は両端には、切り込み４ａを入れることで係止部４が形成される。
【００１５】
吊り下げ手段２は、例えば商品陳列用の棚の側面や壁などの設置面Ｗに対してシート本体１を吊り下げるものであり、貫通孔や凹部などで構成される。
図１〜図２に示される例では、シート本体１の長手方向と交差する幅方向略中央に吊り下げ手段２として円形の貫通孔を開穿し、この貫通孔に対し、設置面Ｗに設けられたフックＦを挿通することで、シート本体１が吊り下げられている。
また、その他の例として図示しないが、吊り下げ手段２として円形以外の形状の貫通孔を開穿したり、この貫通孔に代えて凹部などを形成したり、シート本体１の幅方向に開穿された単数又は複数の貫通孔に吊り紐を取り付けて、設置面Ｗに設けられたフックＦで吊り下げるようにすることも可能である。
【００１６】
フック部３は、例えば包装袋や包装箱に入れた商品Ｃの吊り下げ用孔Ｃ１に挿入することによって商品Ｃが吊り下げ支持されるようにするものであり、シート本体１の長手方向へ所定間隔毎に複数形成されている。
図１〜図２に示される例では、シート本体１に略Ｗ字形や逆Ｕ字形や逆Ｖ字形などの切り込み３ａを入れることでフック部３が弾性的に屈曲可能に形成されている。
また、その他の例として図示しないが、シート本体１に略Ｗ字形又は逆Ｕ字形以外の形状の切り込み３ａを入れるなどしてフック部３を形成することも可能である。
【００１７】
係止部４は、複数のシート本体１をそれぞれの長手方向へ一列に連結するものであり、これら複数のシート本体１に切り込み４ａをそれぞれ入れ、これら切り込み４ａ同士が嵌り合うように係止させることで、複数のシート本体１が長手方向へ一列に連結されるように配置される。
詳しくは、各シート本体１に略半円形や略Ｕ字形や略Ｖ字形などの切り込み４ａを入れることにより、この切り込み４ａで囲まれる舌片４ｂがそれぞれ形成され、連結しようとする一方のシート本体１に形成された舌片４ｂの先端縁４ｃと、他方のシート本体１に形成された舌片４ｂの先端縁４ｂとを互いに逆向きとなるようにそれぞれ配置し、一方のシート本体１に形成された舌片４ｂの先端縁４ｂを、他方のシート本体１に形成された切り込み４ａにそれぞれシート本体１の長手方向へ挿入することで、これら舌片４ｂ同士が互いに重なり合うように係止させている。
【００１８】
このような商品陳列用シートＡは、予めシート本体１が複数枚用意され、例えば図１（ａ）に示されるように、一枚のシート本体１を分離状態のままで吊り下げ手段２により設置面ＷのフックＦに対して吊り下げ、図１（ｂ）に示されるように、各フック部３により商品Ｃを吊り下げ支持して使用される。
また、図２に示されるように、２枚又は３枚以上のシート本体１をそれぞれの係止部４により長手方向へ一列に連結し、この連結状態で吊り下げ手段２により設置面ＷのフックＦに対して吊り下げるとともに、各フック部３により商品Ｃを吊り下げ支持して使用される。
【００１９】
このような商品陳列用シートＡによると、複数のシート本体１を繰り返して連結・分離でき、設置するスペースや状況の変化に対応して、図１（ａ）（ｂ）に示される分離状態と、図２に示される連結状態とに速やかに変更できる。
さらに、各シート本体１の舌片４ｂ同士が互いに重なり合うように係止させることにより、それぞれの切り込み４ａの端縁同士が互いに長手方向へ移動不能に係合して、２つのシート本体１が一体的に連結され、また、この連結状態において２つのシート本体１のいずれか一方を他方に対して又は両方を係止方向と逆方向へ移動させることにより、これら舌片４ｂが切り込み４ａからそれぞれ外れて２つのシート本体１が分離される。
それにより、簡単な構造で２つのシート本体１を着脱自在に連結できる。
次に、本発明の一実施例を図面に基づいて説明する。
【実施例】
【００２０】
この実施例は、図１（ａ）（ｂ）及び図２に示すように、各シート本体１の長手方向一端のみに吊り下げ手段２として円形の貫通孔を一つ開穿するとともに、各シート本体１の長手方向両端にそれぞれ逆向きの切り込み４ａを入れることで長手方向へ一対の係止部４がそれぞれ形成され、これら吊り下げ手段２の貫通孔及びその近くに配置される係止部４と、略Ｗ字形の切り込み３ａで形成されたフック部３との間に、例えばポップ広告などが描かれた表示ラベルＬを保持するためのヘッダー用ホルダ部５が形成されるものである。
【００２１】
つまり、各シート本体１の長手方向両端には、一対の係止部４がそれぞれの舌片４ｂの先端縁４ｃを各シート本体１の長手方向中央へ向いて突出するように配置されている。
図１（ａ）（ｂ）及び図２に示される例では、各シート本体１の長手方向一端（図面では上端）で吊り下げ手段２の貫通孔近くに略半円形の切り込み４ａで囲まれた舌片４ｂを、シート本体１の幅方向へ複数、図示例では２つそれぞれの舌片４ｂの先端縁４ｃが下向きに突出されるように配置し、各シート本体１の長手方向他端（図面では下端）にも、略半円形の切り込み４ａで囲まれた舌片４ｂを、シート本体１の幅方向へ複数、図示例では２つそれぞれの舌片４ｂの先端縁４ｃが上向きに突出されるように配置している。
また、その他の例として図示しないが、シート本体１の幅方向へ略半円形又はそれ以外の形状の切り込み４ａを３つ以上配置することで、係止部４が複数形成されるようにすることも可能である。
【００２２】
さらに、図１（ａ）（ｂ）及び図２に示される例では、ヘッダー用ホルダ部５としてシート本体１に逆Ｕ字形の切り込み５ａを幅方向へ複数、図示例では２つ入れることで弾性的に屈曲可能に形成している。
また、その他の例として図示しないが、シート本体１に逆Ｖ字形の切り込み５ａを幅方向へ複数入れたり、例えば逆Ｗ字形など他の形状の切り込み５ａを入れるなどしてヘッダー用ホルダ部５を形成することも可能である。
【００２３】
そして、図１（ａ）（ｂ）及び図２に示される例では、フック部３の切り込み３ａの端部、係止部４の切り込み４ａの端部及びヘッダー用ホルダ部５の切り込み５ａの末端に、略半円形や略Ｕ字形に屈曲した切れ目からなる引き裂き止め部３ｂ，４ｄ，５ｂを形成している。
また、その他の例として図示しないが、引き裂き止め部３ｂ，４ｄ，５ｂとして、略半円形や略Ｕ字形に屈曲した切れ目に代え、円形又は楕円形などの孔を開穿することも可能である。
【００２４】
このような実施例に係る商品陳列用シートＡは、各シート本体１の長手方向両端にそれぞれ逆向きの切り込み４ａを入れて長手方向へ一対の係止部４が形成されるため、複数枚用意されるシート本体１を全て同形状に成形できて、在庫管理の容易性と製造コストの低減化が図れるという利点がある。
さらに、図示例のように、係止部４の切り込み４ａ及び舌片４ｂをシート本体１の長手方向と交差する幅方向へ複数それぞれ形成した場合には、連結しようとする一方のシート本体１に形成された各舌片４ｂの先端縁４ｂを、他方のシート本体１に形成された各切り込み４ａにそれぞれ挿入して、これら舌片４ｂ同士が互いに重なり合うように係止させることにより、これら連結される２つのシート本体１が幅方向へ位置決めされる。
それによって、簡単な構造で複数のシート本体１を長手方向へ一直線状に連結することができる。
さらにまた、ヘッダー用ホルダ部５に対して表示ラベルＬを容易に取り付けることができると同時に、表示ラベルＬの交換が容易であるため、多種類の商品Ｃに対応可能であるという利点がある。
【００２５】
なお、前示実施例では、シート本体１の長手方向一端のみに吊り下げ手段２として円形の貫通孔を一つ開穿したが、これに限定されず、シート本体１の長手方向両端に吊り下げ手段２を形成してシート本体１が上下逆向きに吊り下げることができるようにも良い。
さらに、各シート本体１の長手方向両端に係止部４をそれぞれ形成したが、これに限定されず、シート本体１の長手方向どちらか一方のみに係止部４を形成しても良い。
【符号の説明】
【００２６】
１  シート本体                            ２  吊り下げ手段
３  フック部                              ４  係止部
４ａ  切り込み                            ４ｂ  舌片
４ｃ  先端縁
【図１】
2011143157.tif 000003
【図２】
2011143157.tif 000004